(57)【要約】【課題】  他の部材との密着性が低下する虞が少ない保護カバー部材を備えた表示装置を提供する。【解決手段】  保護カバー部材４０，１４０は、表示器１０，３０，１１０，１３０の前側に設けられる。装飾部材７０，１７０は、保護カバー部材４０，１４０に貼着される。ハウジング６０，１６０には、保護カバー部材４０，１４０がインサート成型される。保護カバー部材４０，１４０は、透光性基板４１，１４１と、透光性基板４１，１４１に設けられた低反射部４２，１４２と、を有する。保護カバー部材４０，１４０は、低反射部４２，１４２が設けられていない領域を有する。装飾部材７０，１７０の少なくとも一部は、前記領域に貼着されている。ハウジング６０，１６０の少なくとも一部は、前記領域で透光性基板４１，１４１に密着している。【選択図】  図２
2016045251.tif 000002
【特許請求の範囲】
【請求項１】
表示器と、前記表示器の前側に設けられた保護カバー部材と、前記保護カバー部材に貼着された装飾部材と、を備えた表示装置であって、
前記保護カバー部材は、透光性基板と、前記透光性基板に設けられた低反射部と、を有し、前記保護カバー部材は、前記低反射部が設けられていない領域を有すると共に、前記装飾部材の少なくとも一部は、前記領域に貼着されていることを特徴とする表示装置。
【請求項２】
表示器と、前記表示器の前側に設けられた保護カバー部材と、前記保護カバー部材がインサート成型されたハウジングと、を備えた表示装置であって、
前記保護カバー部材は、透光性基板と、前記透光性基板に設けられた低反射部と、を有し、前記保護カバー部材は、前記低反射部が設けられていない領域を有すると共に、前記ハウジングの少なくとも一部は、前記領域で前記透光性基板に密着していることを特徴とする表示装置。
【請求項３】
前記低反射部は、モスアイフィルムであることを特徴とする請求項１または請求項２に記載の表示装置。
【発明の詳細な説明】
【技術分野】
【０００１】
本発明は、表示器の前側に保護カバー部材を設けた表示装置に関するものである。
【背景技術】
【０００２】
従来より、低反射部を設けることによって表面反射を抑制し、視認性を向上させた表示装置が種々提案されており、例えば特許文献１に開示されている。低反射部としては、ＡＲ（Anti Reflection）層や、微細な凹凸形状により表面反射を抑制するモスアイフィルム等が知られている。
【先行技術文献】
【特許文献】
【０００３】
【特許文献１】特開２０１２−１８５３３８号公報
【発明の概要】
【発明が解決しようとする課題】
【０００４】
しかしながら、低反射部は他の部材との密着性が低いため、低反射部を有する保護カバーが他の部材から剥離する虞があった。例えば、低反射部を設けた保護カバーに加飾部材を貼着したときに、加飾部材が保護カバーから剥離してしまう虞があった。
本発明は、他の部材との密着性が低下する虞が少ない保護カバー部材を備えた表示装置を提供するものである。
【課題を解決するための手段】
【０００５】
本発明は、表示器１０，３０，１１０，１３０と、前記表示器１０，３０，１１０，１３０の前側に設けられた保護カバー部材４０，１４０と、前記保護カバー部材４０，１４０に貼着された装飾部材７０，１７０と、を備えた表示装置であって、前記保護カバー部材４０，１４０は、透光性基板４１，１４１と、前記透光性基板４１，１４１に設けられた低反射部４２，１４２と、を有し、前記保護カバー部材４０，１４０は、前記低反射部４２，１４２が設けられていない領域を有すると共に、前記装飾部材７０，１７０の少なくとも一部は、前記領域に貼着されているものである。
【０００６】
また、本発明は、表示器１０，３０，１１０，１３０と、前記表示器１０，３０，１１０，１３０の前側に設けられた保護カバー部材４０，１４０と、前記保護カバー部材４０，１４０がインサート成型されたハウジング６０，１６０と、を備えた表示装置であって、
前記保護カバー部材４０，１４０は、透光性基板４１，１４１と、前記透光性基板４１，１４１に設けられた低反射部４２，１４２と、を有し、前記保護カバー部材４０，１４０は、前記低反射部４２，１４２が設けられていない領域を有すると共に、前記ハウジング６０，１６０の少なくとも一部は、前記領域で前記透光性基板４１，１４１に密着しているものである。
【０００７】
また、本発明は、前記低反射部４２，１４２は、モスアイフィルムであるものである。
【発明の効果】
【０００８】
低反射部が設けられていない領域で、保護カバー部材の透光性基板が装飾部材またはハウジングに密着するため、保護カバー部材が他の部材と剥離する虞が少ない。
【図面の簡単な説明】
【０００９】
【図１】本発明の第一実施形態を示す正面図。
【図２】同上実施形態を示す断面図。
【図３】同上実施形態を示すブロック図。
【図４】本発明の第二実施形態を示す正面図。
【図５】同上実施形態を示す断面図。
【発明を実施するための形態】
【００１０】
以下、添付図面に基づいて、本発明の一実施形態を説明する。図１乃至図３は、第一実施形態を示すものである。車両用表示装置は、指針式計器１０，回路基板２０，液晶表示器３０，保護カバー部材４０，インナーケース５０，ハウジング６０，加飾部材７０を備えている。
【００１１】
指針式計器１０はエンジンの回転数を表示する回転計である。指針式計器１０は、文字板１１，指針１２，ステッピングモータ１３を有している。文字板１１は、指標部１１ａを有している。ステッピングモータ１３は、回路基板２０の後面に搭載されている。指針１２はステッピングモータ１３の回動軸に圧入保持されており、指針１２はステッピングモータ１３により回動され、文字板１１の指標部１１ａを指示する。文字板１１及び指針１２は、回路基板２０に搭載された発光素子２３にて照明される。
【００１２】
回路基板２０は、ガラスエポキシ樹脂からなる基材に銅箔からなる配線パターンを形成したものであり、ステッピングモータ１３及び発光素子２３が搭載されている。液晶表示器３０は、ＴＦＴ型ＬＣＤモジュールからなるものである。液晶表示器３０は、可撓性配線部材（図示しない）にて回路基板２０に電気的に接続されている。液晶表示器３０には、車両速度，残燃料量等の車両情報や、ナビゲーション情報，音楽情報などのエンターテイメント情報等が表示される。
【００１３】
保護カバー部材４０は、透光性基板４１，モスアイフィルム４２，４３を有している。透光性基板４１は、アクリル等の透光性樹脂からなるものであり、平板形状になっている。透光性基板４１の前面には、モスアイフィルム４２が貼着されている。モスアイフィルム４２は、透光性基板４１よりも若干小さくなっており、透光性基板４１の前面の周縁部にはモスアイフィルム４２が設けられていない領域がある。透光性基板４１の後面には、モスアイフィルム４３が貼着されている。モスアイフィルム４３は、透光性基板４１よりも若干小さくなっており、透光性基板４３の後面の周縁部にはモスアイフィルム４２が設けられていない領域がある。
【００１４】
インナーケース５０は不透明な樹脂（ポリプロピレン等）からなるものであり、このインナーケース５０に液晶表示器３０及び文字板１１が固定されている。インナーケース５０の後側には、回路基板２０が保持されている。
【００１５】
ハウジング６０は、樹脂（ＡＢＳ等）からなるものであり、上ケース６１及び下ケース６２から構成されている。保護カバー部材４０は、上ケース６１にインサート成型されている。ハウジング６０の上ケース６１は、モスアイフィルム４１，４２が設けられていない領域で、透光性基板４１に密着している。指針式計器１０，回路基板２０，液晶表示器３０，インナーケース５０は、ハウジング６０に収納されている。
【００１６】
加飾部材７０は、正面視で矩形の枠状になっており、断面は三角形になっている。加飾部材７０は、接着剤７５にて保護カバー部材４０の前面に貼着されている。加飾部材７０の一部は、モスアイフィルム４２が設けられていない領域に貼着されている。モスアイフィルム４２の周縁部は、加飾部材７０によって隠されている。
【００１７】
図３は、車両用表示装置の電気的構成を示すブロック図である。マイコン８０は、ＣＰＵ８１，ＲＯＭ８２，ＲＡＭ８３を有している。速度センサ９１は、車両速度を検出し、マイコン８０に速度データを出力する。回転センサ９２は、エンジンの回転数を検出し、マイコン８０に回転数データを出力する。マイコン８０は、ＲＯＭ８２に格納されている所定のプログラムに基づいて、ステッピングモータ１３，液晶表示器３０，発光素子２３を駆動する。
【００１８】
図４及び図５は、第二実施形態を示すものである。車両用表示装置は、指針式計器１１０，回路基板１２０，液晶表示器１３０，保護カバー部材１４０，インナーケース１５０，ハウジング１６０，加飾部材１７０を備えている。
【００１９】
指針式計器１１０はエンジンの回転数を表示する回転計である。指針式計器１１０は、文字板１１１，指針１１２，ステッピングモータ１１３を有している。文字板１１１は、指標部１１１ａを有している。ステッピングモータ１１３は、回路基板１２０の後面に搭載されている。指針１１２はステッピングモータ１１３の回動軸に圧入保持されており、指針１１２はステッピングモータ１１３により回動され、文字板１１１の指標部１１１ａを指示する。文字板１１１及び指針１１２は、回路基板１２０に搭載された発光素子１２３にて照明される。
【００２０】
回路基板１２０は、ガラスエポキシ樹脂からなる基材に銅箔からなる配線パターンを形成したものであり、ステッピングモータ１１３及び発光素子１２３，１２４が搭載されている。液晶表示器１３０は、ＴＦＴ型ＬＣＤパネルからなるものである。液晶表示器１３０は、可撓性配線部材（図示しない）にて回路基板１２０に電気的に接続されている。液晶表示器１３０は、発光素子１２４によって透過照明される。液晶表示器１３０には、車両速度，残燃料量等の車両情報や、ナビゲーション情報，音楽情報などのエンターテイメント情報等が表示される。液晶表示器１３０の後側には、光拡散板，プリズムシート等の光学フィルム１３５が配設されている。
【００２１】
保護カバー部材１４０は、透光性基板１４１，モスアイフィルム１４２，遮光層１４５を有している。透光性基板１４１は、アクリル等の透光性樹脂からなるものであり、平板形状になっている。透光性基板１４１の前面には、モスアイフィルム１４２が貼着されている。モスアイフィルム１４２は、透光性基板１４１よりも若干小さくなっており、透光性基板１４１の周縁部にはモスアイフィルム１４２が設けられていない領域がある。透光性基板１４１の後面には、遮光層１４５が形成されている。保護カバー部材１４０の遮光層１４５には、指針式計器１１０を視認するための円形の開口と、液晶表示器１３０を視認するための矩形の開口とが設けられている。
【００２２】
インナーケース１５０は不透明な樹脂（ポリプロピレン等）からなるものであり、このインナーケース１５０に液晶表示器１３０及び文字板１１１が固定されている。インナーケース１５０の後側には、回路基板１２０が保持されている。
【００２３】
ハウジング１６０は、樹脂（ＡＢＳ等）からなるものであり、上ケース１６１及び下ケース１６２から構成されている。保護カバー部材１４０は、上ケース１６１にインサート成型されている。ハウジング１６０の上ケース６１は、モスアイフィルム１４１が設けられていない領域で、透光性基板１４１に密着している。指針式計器１１０，回路基板１２０，液晶表示器１３０，インナーケース１５０は、ハウジング１６０に収納されている。
【００２４】
加飾部材１７０は、正面視で角丸長方形の枠状になっており、断面は半円形になっている。加飾部材１７０は、接着剤１７５にて保護カバー部材１４０の前面に貼着されている。加飾部材１７０の一部は、モスアイフィルム１４２が設けられていない領域に貼着されている。モスアイフィルム１４２の周縁部は、加飾部材１７０によって隠されている。
【００２５】
第一，第二実施形態によれば、モスアイフィルム４２，４３，１４２が設けられていない領域で、保護カバー部材４０，１４０の透光性基板４１，１４１が加飾部材７０，１７０及び上ケース６１，１６１に密着するため、保護カバー部材が加飾部材７０，１７０及び上ケース６１，１６１と剥離する虞が少ない。なお、本発明は、本実施形態に限定されるものではなく、種々の変形が可能である。例えば、第一，第二実施形態の表示装置は、指針式計器１０，１１０及び液晶表示器３０，１３０を備えたものであったが、指針式計器１０，１１０または液晶表示器３０，１３０の一方のみを備えた表示装置であっても良い。また、低反射部は、例えば、透光性基板４１，１４１に形成されたＡＲ層であっても良い。
【符号の説明】
【００２６】
１０  指針式計器（表示器）
２０  回路基板
３０  液晶表示器（表示器）
４０  保護カバー部材
４１  透光性基板
４２  モスアイフィルム（低反射部）
４３  モスアイフィルム
６０  ハウジング
７０  加飾部材（装飾部材）
１１０  指針式計器（表示器）
１２０  回路基板
１３０  液晶表示器（表示器）
１４０  保護カバー部材
１４１  透光性基板
１４２  モスアイフィルム（低反射部）
１６０  ハウジング
１７０  加飾部材（装飾部材）
【図１】
2016045251.tif 000003
【図２】
2016045251.tif 000004
【図３】
2016045251.tif 000005
【図４】
2016045251.tif 000006
【図５】
2016045251.tif 000007